(57)【要約】【課題】停電からの復帰時に、タンク内の水の滅菌処理の要否を適切に判断することが可能な給湯システムを提供する。【解決手段】本明細書が開示する給湯システムは、タンクと、タンクの水を沸かし上げるヒートポンプと、タンク内の水の温度を検出するタンクサーミスタと、外気温度を検出する外気温度サーミスタと、コントローラを備えている。その給湯システムでは、コントローラは、停電からの復帰時に、タンク内の水の温度が基準温度よりも低い場合に、殺菌可能な温度までタンク内の水を沸かし上げるようにヒートポンプを駆動する。その給湯システムでは、コントローラは、外気温度が低いほど、基準温度を低く設定する。【選択図】図４
2015031436.tif 000002
【特許請求の範囲】
【請求項１】
タンクと、
タンクの水を沸かし上げるヒートポンプと、
タンク内の水の温度を検出するタンクサーミスタと、
外気温度を検出する外気温度サーミスタと、
コントローラを備えており、
コントローラは、停電からの復帰時に、タンク内の水の温度が基準温度よりも低い場合に、殺菌可能な温度までタンク内の水を沸かし上げるようにヒートポンプを駆動し、
コントローラは、外気温度が低いほど、基準温度を低く設定する、給湯システム。
【請求項２】
タンクから給湯箇所への水の供給を制御する制御弁と、
給湯箇所へ供給される水を加熱するバーナをさらに備えており、
コントローラは、停電からの復帰時に、タンク内の水の温度が基準温度よりも低い場合に、タンクから給湯箇所への水の供給を停止するように制御弁を駆動する、請求項１の給湯システム。
【請求項３】
ヒートポンプの冷媒がフロン系冷媒である、請求項１または２の給湯システム。
【発明の詳細な説明】
【技術分野】
【０００１】
本明細書で開示する技術は、給湯システムに関する。
【背景技術】
【０００２】
タンクに蓄えた高温の水を利用して給湯を行う給湯システムにおいては、タンク内の水の温度が低下した状態が継続した場合に、レジオネラ菌等の雑菌が繁殖しやすい状態となることが知られている。このため、タンク内の水の衛生状態を保つために、タンク内の水を高温（例えば６５℃以上）で沸上げることで滅菌処理を行う技術が従来から用いられている。
【０００３】
特許文献１には、タンクと、タンクの水を沸かし上げるヒートポンプと、タンク内の水の温度を検出するタンクサーミスタと、コントローラを備える給湯システムが開示されている。この給湯システムにおいて、コントローラは、停電からの復帰時に、タンク内の水の温度が基準温度よりも低い場合に、殺菌可能な温度までタンク内の水を沸かし上げるようにヒートポンプを駆動する。通常、コントローラが停電中に計時できない場合には、停電からの復帰時に、前回の高温沸上げからどの程度の時間が経過しているのかを把握できず、滅菌処理の要否を判断することができない。特許文献１の給湯システムでは、自然放熱によるタンク内の水の温度降下に着目し、タンク内の水の温度が基準温度よりも低い場合には、前回の高温沸上げから長時間が経過しているものと判断して、高温沸上げによってタンク内の水の滅菌処理を行う。この給湯システムによれば、コントローラが停電中に計時できない場合であっても、タンク内の水の滅菌処理の要否を判断することができる。
【先行技術文献】
【特許文献】
【０００４】
【特許文献１】特開２０１０−２１０１８１号公報
【発明の概要】
【発明が解決しようとする課題】
【０００５】
外気温度が低い場合には、外気温度が高い場合にくらべて、タンクからの放熱量が多く、タンク内の水の温度降下も速くなる。このため、停電からの復帰時のタンク内の水の温度が同じ温度であっても、外気温度が低い場合には、外気温度が高い場合にくらべて、前回の高温沸上げからの経過時間は短いものと考えられる。このため、外気温度が高い場合に用いる基準温度を、外気温度が低い場合にもそのまま適用すると、実際には前回の高温沸上げからそれほど時間が経過しておらず雑菌の繁殖のおそれがない場合についても、滅菌処理が必要と誤って判断してしまう。一般に、ヒートポンプのエネルギー効率は、低温（例えば４５℃）での沸上げに比べて、高温（例えば６５℃）での沸上げの方が低くなるため、本来は必要でない高温沸上げを行うことは、省エネルギーの観点から好ましいものではない。外気温度が低い場合と、外気温度が高い場合のいずれについても、滅菌処理の要否を適切に判断することが可能な技術が期待されている。
【０００６】
本明細書では、停電からの復帰時に、タンク内の水の滅菌処理の要否を適切に判断することが可能な給湯システムを提供する。
【課題を解決するための手段】
【０００７】
本明細書が開示する給湯システムは、タンクと、タンクの水を沸かし上げるヒートポンプと、タンク内の水の温度を検出するタンクサーミスタと、外気温度を検出する外気温度サーミスタと、コントローラを備えている。その給湯システムでは、コントローラは、停電からの復帰時に、タンク内の水の温度が基準温度よりも低い場合に、殺菌可能な温度までタンク内の水を沸かし上げるようにヒートポンプを駆動する。その給湯システムでは、コントローラは、外気温度が低いほど、基準温度を低く設定する。
【０００８】
上記の給湯システムでは、外気温度が高い場合には、高い基準温度を用いて滅菌処理の要否を判断し、外気温度が低い場合には、低い基準温度を用いて滅菌処理の要否を判断する。このため、外気温度の高低に起因するタンク内の水の温度降下速度の違いを考慮に入れて、停電からの復帰時のタンク内の水の温度から、前回の高温沸上げからの経過時間を適切に判断することができる。このような構成とすることによって、外気温度が低い場合と、外気温度が高い場合のいずれについても、滅菌処理の要否を適切に判断することができる。
【０００９】
上記の給湯システムは、タンクから給湯箇所への水の供給を制御する制御弁と、給湯箇所へ供給される水を加熱するバーナをさらに備えており、コントローラは、停電からの復帰時に、タンク内の水の温度が基準温度よりも低い場合に、タンクから給湯箇所への水の供給を停止するように制御弁を駆動するように構成することができる。
【００１０】
上記の給湯システムでは、停電からの復帰時のタンク内の水の温度が基準温度よりも低い場合、すなわちタンク内の水に雑菌が繁殖しているおそれがある場合に、タンクから給湯箇所への水の供給を停止する。上記の給湯システムによれば、高温沸上げによる滅菌処理の要否だけでなく、タンクから給湯箇所への水の供給停止の要否についても、外気温度が高い場合と、外気温度が低い場合で、それぞれ適切に判断することができる。
【００１１】
上記の給湯システムは、ヒートポンプの冷媒がフロン系冷媒であるように構成することができる。
【００１２】
一般に、フロン系冷媒を用いるヒートポンプでは、外気温度が低い場合に、水を高温で沸上げることが困難となる。このため、タンク内の水の滅菌処理が必要と判断される場合でも、外気温度が上昇するまで高温沸上げを行うことができず、タンク内の水を給湯に使用できない期間が長いものとなる。上記の給湯システムによれば、外気温度が低い場合において、滅菌処理の要否を適切に判断できるため、タンク内の水を給湯に使用できない期間を必要最低限度に抑えることができる。ユーザの利便性を向上することができる。
【図面の簡単な説明】
【００１３】
【図１】実施例に係る給湯システム２の構成を模式的に示す図。
【図２】実施例の給湯システム２においてコントローラが実行する沸上げ運転処理を説明するフローチャート。
【図３】実施例の給湯システム２においてコントローラが実行する給湯運転処理を説明するフローチャート。
【図４】実施例の給湯システム２においてコントローラが実行する停電時復帰処理を説明するフローチャート。
【発明を実施するための形態】
【００１４】
（実施例）
図１に示すように、本実施例に係る給湯システム２は、ＨＰ（ヒートポンプ）ユニット４と、タンクユニット６と、バーナユニット８を備えている。
【００１５】
ＨＰユニット４は、外気から吸熱して水を加熱する熱源である。ＨＰユニット４は、圧縮機１０と、凝縮器１２と、膨張弁１４と、蒸発器１６を備えている。圧縮機１０は、冷媒を加圧して高温高圧にする。凝縮器１２は、水との熱交換により冷媒を冷却する。膨張弁１４は、冷媒を減圧して低温低圧にする。蒸発器１６は、外気との熱交換により冷媒を加熱する。ＨＰユニット４は、冷媒（例えばフロン系冷媒）を、圧縮機１０、凝縮器１２、膨張弁１４、蒸発器１６の順に循環させることで、外気から吸熱して水を加熱する。ＨＰユニット４はさらに、凝縮器１２に水を循環させる循環ポンプ１８と、凝縮器１２に流れ込む水の温度を検出する戻りサーミスタ２０と、凝縮器１２から流れ出る水の温度を検出する往きサーミスタ２２と、外気温度を検出する外気温度サーミスタ２３と、ＨＰユニット４の各構成要素の動作を制御するＨＰコントローラ２４を備えている。
【００１６】
タンクユニット６は、タンク３０と、混合弁３２と、バイパス制御弁３４を備えている。タンク３０は、外側が断熱材で覆われており、内部に水を蓄える密閉型の容器である。本実施例のタンク３０の容量は、例えば１００リットルである。ＨＰユニット４の循環ポンプ１８が駆動すると、タンク３０の底部から水が吸い出されて凝縮器１２へ送られる。凝縮器１２で加熱されて高温となった水は、タンク３０の頂部からタンク３０内に戻される。ＨＰユニット４によって加熱された水がタンク３０に流れ込むと、タンク３０の内部には、低温の水の層の上に高温の水の層が積み重なった温度成層が形成される。タンク３０には、上部の水の温度を検出する貯湯サーミスタ３６と、中間部の水の温度を検出する中間サーミスタ３８が取り付けられている。
【００１７】
タンクユニット６には、給水経路４０を介して水道水が供給される。給水経路４０には、給水圧力を減圧する減圧弁４２と、給水温度を検出する入水サーミスタ４４が取り付けられている。給水経路４０は、タンク３０の底部に連通するタンク給水経路４６と、混合弁３２に連通するタンクバイパス経路４８に分岐している。タンク給水経路４６とタンクバイパス経路４８には、それぞれ逆止弁５０，５２が取り付けられている。また、タンクバイパス経路４８には、混合弁３２に流入する水道水の流量を検出する水側水量センサ５４が取り付けられている。タンク３０の頂部と混合弁３２は、タンク出湯経路５６を介して連通している。タンク出湯経路５６には、逆止弁５８と、混合弁３２に流入するタンク３０からの水の流量を検出する湯側水量センサ６０が取り付けられている。
【００１８】
混合弁３２は、タンクバイパス経路４８から流れ込む水道水と、タンク出湯経路５６から流れ込むタンク３０からの水を混合して、第１給湯経路６２に送り出す。混合弁３２は、ステッピングモータによって弁を駆動し、タンクバイパス経路４８側の開度（水側の開度）と、タンク出湯経路５６側の開度（湯側の開度）を調整する。第１給湯経路６２には、混合弁３２から送り出される水の温度を検出する混合サーミスタ６４が取り付けられている。
【００１９】
タンクユニット６からは、第２給湯経路６６を介して、台所やシャワー、カラン等の給湯箇所への給湯が行われる。第２給湯経路６６には、給湯箇所へ供給される水の温度を検出する給湯出口サーミスタ６８と、逆止弁７０が取り付けられている。第１給湯経路６２と第２給湯経路６６の間は、給湯バイパス経路７２によって連通している。給湯バイパス経路７２には、バイパス制御弁３４が取り付けられている。
【００２０】
タンクユニット６はさらに、タンクコントローラ７４と、タンクコントローラ７４と通信可能なリモコン７６を備えている。タンクコントローラ７４は、タンクユニット６の各構成要素の動作を制御する。リモコン７６は、スイッチやボタン等を介して、ユーザからの各種の操作入力を受け入れる。また、リモコン７６は、表示や音声によってユーザに給湯システム２の設定や動作に関する各種の情報を通知する。
【００２１】
バーナユニット８は、バーナ８０と、熱交換器８２と、バイパスサーボ８４と、水量サーボ８６と、湯はり弁８８を備えている。バーナ８０は、ガスの燃焼によって熱交換器８２を流れる水を加熱する熱源である。熱交換器８２には、バーナ往路９０を介して、タンクユニット６の第１給湯経路６２からの水が流れ込む。熱交換器８２を通過した水は、バーナ復路９２を介して、タンクユニット６の第２給湯経路６６へ流れ出る。バーナ往路９０には、熱交換器８２へ流れ込む水の流量を調整する水量サーボ８６が取り付けられている。バーナ往路９０とバーナ復路９２の間は、バーナバイパス経路９４を介して連通している。バーナ往路９０とバーナバイパス経路９４の接続部に、バイパスサーボ８４が取り付けられている。バイパスサーボ８４は、バーナ往路９０からバーナバイパス経路９４へ流れる水の流量を調整する。バーナ復路９２には、熱交換器８２から流れ出る水の温度を検出するバーナ給湯サーミスタ９６が取り付けられている。バーナ復路９２からは、湯はり経路９８が分岐している。湯はり経路９８には、湯はり弁８８が取り付けられている。バーナユニット８からは、湯はり経路９８を介して、給湯箇所である浴槽への湯はりが行われる。バーナユニット８はさらに、バーナユニット８の各構成要素の動作を制御するバーナコントローラ１００を備えている。
【００２２】
ＨＰコントローラ２４とタンクコントローラ７４は、互いに通信可能である。タンクコントローラ７４とバーナコントローラ１００は、互いに通信可能である。従って、ＨＰコントローラ２４と、タンクコントローラ７４と、バーナコントローラ１００が協調して制御を行うことで、給湯システム２は沸上げ運転や給湯運転等の各種の動作を行うことができる。以下では、ＨＰコントローラ２４と、タンクコントローラ７４と、バーナコントローラ１００を総称して、単にコントローラとも呼ぶ。
【００２３】
以下では、給湯システム２の主要な動作について説明する。
【００２４】
（沸上げ運転）
沸上げ運転では、給湯システム２は、ＨＰユニット４を駆動して、タンク３０内の水を沸かし上げる。沸上げ運転を開始するタイミングは、様々な観点から設定することが可能である。例えば、割安な深夜電力を利用可能な時間帯が終了する直前に、タンク３０内の水の沸上げが終了するように、コントローラが沸上げ運転の開始タイミングを決定してもよい。あるいは、前日までの給湯実績に基づいて、大きな給湯需要の発生が予想される時刻の直前に、タンク３０の水の沸上げが終了するように、コントローラが沸上げ運転の開始タイミングを決定してもよい。あるいは、ユーザがリモコン７６を介してタンク３０の水の沸上げを指示することで、コントローラが沸上げ運転を開始してもよい。
【００２５】
図２に示すように、沸上げ運転が開始されると、ステップＳ２で、コントローラは滅菌沸上げ要求の有無を判断する。滅菌沸上げは、タンク３０内の水に雑菌が繁殖しているおそれがある場合に、タンク３０の水を殺菌可能な高温（例えば６５℃）で沸き上げる運転である。一般に、タンク３０の内部の水が、低温（例えば６０℃以下の温度）のまま長時間（例えば７２時間以上）滞留している場合には、タンク３０内の水に雑菌が繁殖しているおそれがあると考えられる。このような場合に、コントローラは滅菌沸上げ要求フラグをオンにしておき、その後の沸上げ運転においてタンク３０内の水の滅菌処理を行う。
【００２６】
ステップＳ２で滅菌沸上げ要求が有る場合（ＹＥＳの場合）、処理はステップＳ４へ進み、コントローラは、高温沸上げ運転を開始する。高温沸上げ運転では、圧縮機１０を駆動して、圧縮機１０、凝縮器１２、膨張弁１４、蒸発器１６の順に冷媒を循環させるとともに、循環ポンプ１８を駆動して、タンク３０と凝縮器１２の間で水を循環させる。これによって、タンク３０の底部から吸い出された水は、凝縮器１２において目標とする沸上げ温度まで加熱されて、タンク３０の頂部に戻される。高温沸上げ運転においては、目標とする沸上げ温度は、殺菌可能な高温（例えば６５℃）に設定されている。高温沸上げ運転を行うことによって、タンク３０の水は確実に殺菌されて、その後の給湯に利用することが可能となる。タンク３０内の水が全て目標とする沸上げ温度の水で置き換えられると、高温沸上げ運転を終了する。
【００２７】
ステップＳ２で滅菌沸上げ要求が無い場合（ＮＯの場合）、処理はステップＳ６へ進み、コントローラは、低温沸上げ運転を開始する。低温沸上げ運転では、圧縮機１０を駆動して、圧縮機１０、凝縮器１２、膨張弁１４、蒸発器１６の順に冷媒を循環させるとともに、循環ポンプ１８を駆動して、タンク３０と凝縮器１２の間で水を循環させる。これによって、タンク３０の底部から吸い出された水は、凝縮器１２において目標とする沸上げ温度まで加熱されて、タンク３０の頂部に戻される。低温沸上げ運転においては、目標とする沸上げ温度は、高温沸上げ運転での沸上げ温度よりも低い温度（例えば４５℃）に設定されている。一般に、ヒートポンプで水を加熱する場合、沸上げ温度が低いほど、エネルギー効率は高くなる。このため、タンク３０の水を殺菌する必要がない場合には、低温沸上げ運転を行うように構成することで、省エネルギーを実現することができる。タンク３０内の水が全て目標とする沸上げ温度の水で置き換えられると、低温沸上げ運転を終了する。
【００２８】
（給湯運転）
給湯運転では、給湯設定温度の水を給湯箇所へ供給する。本実施例の給湯システム２では、例えば水側水量センサ５４で検出される水量と、湯側水量センサ６０で検出される水量を合算した水量（給湯水量）が、所定値以上となった場合に、給湯運転を開始する。
【００２９】
図３に示すように、給湯運転が開示されると、ステップＳ８で、コントローラは、タンク止水要求の有無を判断する。ここでいうタンク止水とは、タンク３０内の水に雑菌が繁殖しているおそれがある場合に、混合弁３２においてタンク出湯経路５６側の開度（湯側の開度）を全閉にし、タンク３０から給湯箇所へ水が供給されないようにすることを意味する。例えば、コントローラは、タンク３０の内部の水が、低温（例えば６０℃以下の温度）のまま長時間（例えば９６時間以上）滞留している場合に、タンク止水要求フラグをオンにしておき、その後の給湯運転においてタンク３０内の水が給湯箇所へ供給されないようにする。
【００３０】
ステップＳ８でタンク止水要求が有る場合（ＹＥＳの場合）、処理はステップＳ１０へ進み、コントローラは、バーナ８０の燃焼運転を許可する。さらに、ステップＳ１２で、コントローラは、混合弁３２を制御して、タンクバイパス経路４８側の開度（水側の開度）を全開にして、タンク出湯経路５６側の開度（湯側の開度）を全閉にする。これによって、タンク３０から給湯箇所への水の供給が禁止される。この場合、給水経路４０から供給される低温の水道水が、バーナ８０によって給湯設定温度まで加熱されて、給湯箇所へ供給される。
【００３１】
ステップＳ８でタンク止水要求が無い場合（ＮＯの場合）、処理はステップＳ１４へ移行する。ステップＳ１４では、タンク３０が湯切れをしているか否かを判断する。本実施例では、コントローラは、貯湯サーミスタ３６で検出される温度が給湯設定温度を下回った場合に、タンク３０が湯切れしたものと判断する。
【００３２】
タンク３０が湯切れしていない場合（ステップＳ１４でＮＯの場合）、処理はステップＳ１６へ進む。ステップＳ１６では、コントローラは、バーナ８０の燃焼運転を禁止する。また、ステップＳ１８では、コントローラは、混合サーミスタ６４で検出される温度が給湯設定温度となるように、混合弁３２の開度を調整する。この場合、タンク３０の上部から供給される高温の水と、給水経路から供給される低温の水道水が、混合弁３２において給湯設定温度となるように混合されて、給湯箇所へ供給される。
【００３３】
ステップＳ１４でタンク３０が湯切れしている場合（ＹＥＳの場合）、処理はステップＳ２０へ進む。ステップＳ２０では、コントローラは、バーナ８０の燃焼運転を許可する。また、ステップＳ２２では、コントローラは、混合サーミスタ６４で検出される温度が、給湯設定温度よりもわずかに低い温度となるように、混合弁３２の開度を調整する。この場合、タンク３０の上部から供給される高温の水と、給水経路から供給される低温の水道水が、混合弁３２において混合された後、バーナ８０によって給湯設定温度まで加熱されて、給湯箇所へ供給される。
【００３４】
ステップＳ２４では、給湯箇所への給湯が終了したか否かを判断する。本実施例の給湯システム２では、例えば水側水量センサ５４で検出される水量と、湯側水量センサ６０で検出される水量を合算した水量（給湯水量）が、所定値を下回った場合に、給湯が終了したものと判断する。ステップＳ２４で給湯が終了していない場合（ＮＯの場合）、処理はステップＳ８へ戻る。給湯が終了した場合（ステップＳ２４でＹＥＳの場合）、ステップＳ２６でバーナ８０の燃焼運転を禁止して、給湯運転処理を終了する。
【００３５】
（停電時復帰処理）
給湯システム２において停電が生じると、コントローラには電力が供給されなくなり、停電の間は計時を行うことができなくなる。このため、停電から復帰した時点では、コントローラは、タンク３０内の水の滞留時間を把握することができず、滅菌沸上げの要否やタンク止水の要否を判断することができない。そこで、本実施例の給湯システム２では、図４に示す停電時復帰処理を行って、滅菌沸上げおよびタンク止水の要否を判断する。
【００３６】
図４に示すように、停電時復帰処理が開始されると、ステップＳ２８で、コントローラは、混合弁３２を制御して、タンクバイパス経路４８側の開度（水側の開度）を全開にして、タンク出湯経路５６側の開度（湯側の開度）を全閉にする。これによって、タンク３０から給湯箇所への水の供給が禁止される。これにより、万が一、タンク３０内の水に雑菌が繁殖している場合でも、その水が給湯箇所へ供給されることを防ぐことができる。
【００３７】
ステップＳ３０では、コントローラは、外気温度サーミスタ２３で検出される外気温度が、所定の切換温度（例えば５℃）を下回るか否かを判断する。外気温度が切換温度を下回る場合（ＹＥＳの場合）、処理はステップＳ３２へ進み、コントローラは基準温度を２５℃に設定する。外気温度が切換温度以上の場合（ＮＯの場合）、処理はステップＳ３４へ進み、コントローラは基準温度を３５℃に設定する。
【００３８】
ステップＳ３６では、中間サーミスタ３８で検出されるタンク３０内の水の温度（貯湯温度ともいう）が、基準温度を下回るか否かを判断する。タンク３０内の水の温度が基準温度を下回る場合（ＹＥＳの場合）、タンク３０の内部の水に雑菌が繁殖しているおそれがあると考えられる。このため、ステップＳ３８で、コントローラはタンク止水要求フラグをオンにし、ステップＳ４０で、コントローラは滅菌沸上げ要求フラグをオンにして、停電時復帰処理を終了する。ステップＳ３６で、タンク３０内の水の温度が基準温度以上の場合（ＮＯの場合）、そのまま停電時復帰処理を終了する。
【００３９】
以上のように、本実施例の給湯システム２は、タンク３０と、タンク３０の水を沸かし上げるＨＰユニット４（ヒートポンプに相当する）と、タンク３０内の水の温度を検出する中間サーミスタ（タンクサーミスタに相当する）と、外気温度を検出する外気温度サーミスタ２３と、ＨＰコントローラ２４、タンクコントローラ７４およびバーナコントローラ１００からなるコントローラを備えている。コントローラは、停電からの復帰時に、タンク３０内の水の温度が基準温度よりも低い場合に、殺菌可能な温度までタンク内の水を沸かし上げるようにＨＰユニット４を駆動する。コントローラは、外気温度が低いほど、基準温度を低く設定する。このため、本実施例の給湯システム２によれば、外気温度の高低に起因するタンク３０内の水の温度降下速度の違いを考慮に入れて、停電からの復帰時のタンク３０内の水の温度から、前回の高温沸上げからの経過時間を適切に判断することができる。このような構成とすることによって、外気温度が低い場合と、外気温度が高い場合のいずれについても、滅菌処理の要否を適切に判断することができる。なお、上記の実施例では、外気温度に応じて基準温度が段階的に変化するように基準温度を設定する場合を例として説明したが、例えば外気温度に応じて基準温度が比例的に変化するように基準温度を設定してもよい。
【００４０】
上記の給湯システム２は、タンク３０から給湯箇所への水の供給を制御する混合弁３２（制御弁に相当する）と、給湯箇所へ供給される水を加熱するバーナ８０をさらに備えており、コントローラは、停電からの復帰時に、タンク３０内の水の温度が基準温度よりも低い場合に、タンク３０から給湯箇所への水の供給を停止するように混合弁３２を駆動する。このような構成とすることによって、高温沸上げによる滅菌処理の要否だけでなく、タンク３０から給湯箇所への水の供給停止の要否についても、外気温度が高い場合と、外気温度が低い場合で、それぞれ適切に判断することができる。
【００４１】
上記の給湯システム２では、ＨＰユニット４の冷媒がフロン系冷媒である。一般に、フロン系冷媒を用いるヒートポンプでは、外気温度が低い場合に、水を高温で沸上げることが困難となる。このため、タンク３０内の水の滅菌処理が必要と判断される場合でも、外気温度が上昇するまで高温沸上げを行うことができず、タンク３０内の水を給湯に使用できない期間が長いものとなる。上記の給湯システム２によれば、外気温度が低い場合において、滅菌処理の要否を適切に判断できるため、タンク３０内の水を給湯に使用できない期間を必要最低限度に抑えることができる。ユーザの利便性を向上することができる。
【００４２】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００４３】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４４】
２  給湯システム
４  ＨＰユニット
６  タンクユニット
８  バーナユニット
１０  圧縮機
１２  凝縮器
１４  膨張弁
１６  蒸発器
１８  循環ポンプ
２０  戻りサーミスタ
２２  往きサーミスタ
２３  外気温度サーミスタ
２４  ＨＰコントローラ
３０  タンク
３２  混合弁
３４  バイパス制御弁
３６  貯湯サーミスタ
３８  中間サーミスタ
４０  給水経路
４２  減圧弁
４４  入水サーミスタ
４６  タンク給水経路
４８  タンクバイパス経路
５０，５２  逆止弁
５４  水側水量センサ
５６  タンク出湯経路
５８  逆止弁
６０  湯側水量センサ
６２  第１給湯経路
６４  混合サーミスタ
６６  第２給湯経路
６８  給湯出口サーミスタ
７０  逆止弁
７２  給湯バイパス経路
７４  タンクコントローラ
７６  リモコン
８０  バーナ
８２  熱交換器
８４  バイパスサーボ
８６  水量サーボ
８８  湯はり弁
９０  バーナ往路
９２  バーナ復路
９４  バーナバイパス経路
９６  バーナ給湯サーミスタ
９８  湯はり経路
１００  バーナコントローラ
【図１】
2015031436.tif 000003
【図２】
2015031436.tif 000004
【図３】
2015031436.tif 000005
【図４】
2015031436.tif 000006